(57)【特許請求の範囲】
【請求項１】
金属製の機枠と、この機枠内に回転自在に配置されたドラムと、前記機枠の前面を覆う樹脂製の前面板と、この前面板に設けられた、前記ドラムへの衣類の投入口と、この投入口を開閉する少なくとも裏面側が金属板からなる扉と、この扉の回転軸となると共に、一端側が前記金属板に導通した導電性の支軸と、前記前面板に設けられ、前記支軸を回転自在に受ける軸受部と、前記支軸の前記軸受部への装着状態において支軸の他端に当接すると共に、前記機枠に導通した導電性の当接部材とを備え、
前記当接部材を、隙間を有して２つの板が対面するＵ字型の板バネとして、前記軸受部への装着方向と反対方向に前記支軸を付勢する構成とし、
この板バネの一方の板には、前記支軸の他端側を挿通させると共に、支軸が他方の板に当接して板バネが変形すると、支軸側面が穴の縁部に当接する挿通穴を設けて、前記支持軸を他方の板と穴の縁部とに２点接触させるようにしたことを特徴とする衣類乾燥機。
【発明の詳細な説明】
【０００１】
【産業上の利用分野】
本発明は、衣類乾燥機に関する。
【０００２】
【従来の技術】
従来、例えば、特開平３−１９１９９９号（Ｄ０６Ｆ  ５８／０４）に示すように、衣類を収容するドラムの衣類投入口を開閉する扉を、扉の前面を構成する樹脂製蓋と、この樹脂製蓋の裏面を覆い、前記ドラム内に対面する金属製の裏蓋（金属板）とで構成した衣類乾燥機がある。また、このような扉を有するものであって、前記ドラムを囲む機枠の前面を覆う前面板を、加工がしやすい樹脂にて形成し、前記扉を、この樹脂製の前面板に枢支するようにしたものがある。
【０００３】
【発明が解決しようとする課題】
このような衣類乾燥機では、乾燥運転時、ドラム内では、衣類が撹拌され、衣類同士がこすれ合うことにより静電気が発生する。そして、この静電気が前記扉、特にドラムに対面する裏蓋に帯電する。
【０００４】
前記前面板は樹脂製であり、絶縁体であるため、この静電気の扉からの逃げ場はなく、静電気の帯電量はどんどん増してくる。こうして、扉に静電気がかなり多く帯電した状態になっているときに、使用者が衣類を取り出すために扉を開け、この時に扉の裏蓋に触れると、使用者の身体に一気に放電され、使用者に電気ショックを与えてしまう虞があった。
【０００５】
本発明は、衣類乾燥機の改良に関し、このような問題点を解決するものである。
【０００６】
【課題を解決するための手段】
本発明の衣類乾燥機は、金属製の機枠と、この機枠内に回転自在に配置されたドラムと、前記機枠の前面を覆う樹脂製の前面板と、この前面板に設けられた、前記ドラムへの衣類の投入口と、この投入口を開閉する少なくとも裏面側が金属板からなる扉と、この扉の回転軸となると共に、一端側が前記金属板に導通した導電性の支軸と、前記前面板に設けられ、前記支軸を回転自在に受ける軸受部と、前記支軸の前記軸受部への装着状態において支軸の他端に当接すると共に、前記機枠に導通した導電性の当接部材とを備え、前記当接部材を、隙間を有して２つの板が対面するＵ字型の板バネとして、前記軸受部への装着方向と反対方向に前記支軸を付勢する構成とし、この板バネの一方の板には、前記支軸の他端側を挿通させると共に、支軸が他方の板に当接して板バネが変形すると、支軸側面が穴の縁部に当接する挿通穴を設けて、前記支持軸を他方の板と穴の縁部とに２点接触させるようにしたことを特徴とするものである。
【０００９】
【作用】
金属板からなる扉の裏面に帯電した静電気は、支軸から前面板の当接部材、そして、機枠へと伝わる。そして、前記機枠に取り付けられると共に、接地された専用アース線を伝って地面へ逃げる。
【００１０】
このとき、扉は前面板に対して動く状態にあり、扉と前面板との間はしっかりと固定されているものではないので、静電気を扉から確実に逃がす場合、いかに扉から前面板へスムーズに静電気を逃がすことができるか、即ち、支軸と当接部材との接触部分が重要となってくる。
【００１１】
ここでは、扉の回転軸である支軸を通して静電気を逃がすようにしており、乾燥運転時に、衣類が扉にぶつかるなどして、扉が支軸を支点として少々開閉方向に動いても、支軸と当接部材との接点は動かないので、支軸の当接部材への接触を常に維持できる。
【００１２】
更に、前記当接部材を、前記支軸の軸受部への装着方向と反対方向に前記支軸を付勢する弾性部材としており、乾燥運転時の衣類乾燥機本体の振動により、扉が軸方向に振動しても、当接部材が支軸の動きに追従するようにしているので、支軸の当接部材への接触を常に維持できる。
【００１３】
更に、前記当接部材を、隙間を有して２つの板が対面するＵ字型の板バネとし、この板バネの一方の板には、支軸を挿通する挿通穴を設け、支軸の他端がこの穴を通って他方の板に当接して板バネが変形したときに、穴の縁部が支軸側面に当接するようにしている。つまり、支軸と当接部材とを２点接触させるようにしているので、支軸から当接部材へより多くの静電気を通すことができる。
【００１４】
【実施例】
本発明の実施例を各図面に基づいて説明する。
【００１５】
図１乃至図３において、１は本発明の一実施例の衣類乾燥機であり、２はその筐体である。この筐体２は、前・後面が開口した四角い筒形の金属製の機枠３と、この機枠３の前面を覆う絶縁部材である樹脂製の前面板４と、機枠の後面を覆う金属製の後面板５とで構成されている。前記前面板４のほぼ中央には衣類の投入口６が形成されている。
【００１６】
７は前記筐体２内に回転可能に軸支した横型のステンレス製ドラムで、前記投入口６に対応して前面に開口が形成されている。このドラム７の後面中央には排気口８が設けられており、この排気口８にはリントフィルター９が配置されている。
【００１７】
１０は前記前面板４の投入口６を開閉するための扉で、衣類乾燥機１本体を正面から見て左側の端部が回転自在に枢支されており、左側に開くようになっている。１１はこの扉１０の下方であって、前記前面板４下部に取り付けた樹脂製のコントロールパネルで、前面には、電源スイッチやスタートスイッチなどの種々の操作スイッチ１２が配置されており、裏側には、これら操作スイッチ１２の操作に基づいて衣類乾燥機１の動作を制御する制御基板１３が固定されている。
【００１８】
１４は前記機枠３の前面であって前記投入口６の外周より設けられ、前記ドラム７の前面を支持する金属製の支持板で、下部には吸気口１５が設けられている。１６はこの吸気口１５の入口側に取り付けられたヒータ保持板で、複数のヒータ１７が配置されている。１８はこのヒータ保持板１６を前方から覆い、前記支持板１４と共同して前記ヒータ１７への乾燥風の導入ダクト１９を形成する金属製のダクトカバーである。このダクトカバー１８の前記ヒータ１７との対応位置には窓２０を設けており、普段は図示しないカバーをかけている。そして、目づまりなどによりヒータ１７の掃除が必要になったときには、カバーを外してこの窓２０から掃除ができるようにしている。
【００１９】
２１は前記ドラム７の後方に設けられたファンケーシング、２２はこのファンケーシング２１内を循環風路２３と冷却風路２４とに仕切る熱交換型の両面ファンである。２５は前記排気口８と循環風路２３とを連通するために前記ファンケーシング２１に設けられた連通口、２６は排気口８から出た乾燥風を確実にこの連通口２５へと導くために設けられたリング状のシール部材である。
【００２０】
２７は前記冷却風路２４内へ外気を導入するために前記後面板５の中央に設けられた導入口、２８は導入した外気を導出するために前記機枠３の底面に設けられた導出口である。
【００２１】
２９は前記循環風路２３と前記導入ダクト１９とを連結する循環ダクトで、最下部の位置にドレイン孔３０が設けられている。
【００２２】
３１は誘導モータであり、ドラムプーリ３２及びドラムベルト３３を介して前記ドラム７に連結すると共に、ファンプーリ３４及びファンベルト３５を介して前記両面ファン２２に連結する。３６はアイドラプーリであり、前記ドラムベルト３３に張力を与えることにより、ドラムベルト３３のスリップを防止するものである。
【００２３】
こうして、乾燥時には、前記モータ３１が回転することにより、前記ドラム７が低速で、前記両面ファン２２が高速で、それぞれ回転する。両面ファン２２の回転により発生し、ヒータ１７によって加熱された乾燥風は、前記循環風路２３、循環ダクト２９、導入ダクト１９、ドラム７を通って循環し、ドラム７内の衣類と熱交換を行う。同時に、両面ファン２２の回転により外気が冷却風路２４に導入され、両面ファン２２自身を冷却する。そして、前記ドラム７内で熱交換した後の乾燥風が両面ファン２２に接触して冷却され、乾燥風中の水分が凝縮して循環風路２３内を流れ下り、前記ドレイン孔３０から排出される。
【００２４】
さて、前記扉１０は、扉の前面を構成する樹脂製の化粧板３７と、扉の裏面を構成する金属板である裏蓋３８とを合わせて形成されている。
【００２５】
前記化粧板３７には、略扇形の凹所３９が形成されており、この凹所３９のほぼ中央には、覗き窓４０が形成されている。そして、この覗き窓４０は、前記凹所３９と同形状の樹脂製の窓カバー４１で覆われており、更にこの窓カバー４１には取手４２が一体に形成されている。
【００２６】
前記裏蓋３８では、図４に示すように、前記化粧板３７の覗き窓４０との対応位置に裏窓４３が形成されており、更に、この裏窓４３は耐熱ガラス製の裏窓カバー４４で覆われている。そして、裏窓カバー４４はドラム７側から、更に円盤形の樹脂製の保護カバー４５で覆われている。この保護カバー４５の周縁部には、扉１０の閉成時に前記投入口６の周縁部に密着して、ドラム７内から乾燥風（蒸気）が漏れるのを防ぐためのリング状のパッキン４６が取り付けられている。
【００２７】
なお、前記窓カバー４１、裏窓カバー４４及び保護カバー４５は透明であり、前記覗き窓４０からドラム７内の衣類の状況が確認できるようになっている。
【００２８】
こうして、前記扉１０の裏側、即ち前記ドラム７側を金属板とすることにより、扉１０全体の剛性力を向上させている。また、万一、油の付いた衣類がドラム７内に入れられて、乾燥中に衣類が発火するようなことがあっても、投入口６から火が外に出るのを防ぐようにしている。
【００２９】
ここで、前記扉１０は、上述したように前記前面板４に対して左側端部にて軸支されており、この支持部の構造を図５及び図６に基づいて詳述する。
【００３０】
まず、図５は扉の下側の支持部分の構造を示す。４６は前記扉１０の左側端部の下面に設けられ、下方に突出する支軸である。この支軸４６は、前記化粧板３７と一体に形成され、中央に穴の開いた外軸４７と、この外軸４７の穴に扉１０の中側から差し込まれた外軸４７より長い軸ピン４８とからなる。前記軸ピン４８は、電気抵抗の小さい黄銅製であり、更に錆を防止するために表面にニッケルメッキを施している。そして、前記軸ピン４８により、前記支軸４６は導電性を有する。また、前記軸ピン４８の上端に形成された円形の頭部４９は、前記扉１０の裏蓋３８の下端に接触しており、裏蓋３８と軸ピン４８とが導通した状態となっている。
【００３１】
５０は前記コントロールパネル１１の上面１１ａに形成され、前記支軸４６を挿通する軸穴である。前記コントロールパネル１１は、上面１１ａの軸穴５０に前記支軸４６を挿通させるとともに、軸穴５０の周囲で前記支軸４６を支えており、本発明の軸受部に相当するものである。
【００３２】
５１は前記支軸４６が前記コントロールパネル１１の上面１１ａ、即ち軸受部に装着された状態で、前記軸ピン４８の下端（支軸４６の下端）に当接する板バネ（当接部材、弾性部材）である。この板バネ５１は、バネ材として適すると共に電気抵抗の小さいリン青銅製であり、更に錆防止のために表面にニッケルメッキを施している。
【００３３】
そして、この板バネ５１は、図７に示すように、隙間を有して上板５２と下板５３とが対面する横向きＵ字形状を成している。この板バネ５１の上板５２の中央やや前寄りには、前記支軸４６の他端側を挿通させる挿通穴５４が形成されており、先端部には切欠部５５が形成されている。また、下板５３の先端部からは板バネ５１を前記前面板４へ取り付けるための取付片５６が垂設されており、この取付片５６には、ネジで固定するのためのネジ穴５７が空けられている。
【００３４】
こうして、前記板バネ５１は、取付片５６を金属製の止めネジ５８で前記前面板４及びこの裏側に位置する前記ダクトカバー１８に止めることにより固定される。また、前記切欠部５５を前面板４から突出形成されたリブ５９に填め込むことにより、回り止めが成されている。そして、装着時に、前記支軸４６が上板５２の挿通穴５４を通って下板５３を押し、板バネ５１を下方（図５の破線から実線）に変形することにより、板バネ５１が支軸４６を上方へ付勢すると共に、挿通穴５４の縁部が軸ピン４８の側面に当接する。
【００３５】
前記板バネ５１は、上述したように前記ダクトカバー１８にも止められているので、ダクトカバー１８と導通しているが、ダクトカバー１８は前記支持板１４にネジ６０で止められており、更に支持板１４は前記機枠３にネジ６１で止められている。結果として、前記板バネ５１は機枠３に導通している。
【００３６】
次に、図６は扉の上側の支持部分の構造を示す。６２は丁番軸で、前記扉１０の左側端部の上面に形成された取付穴６３に扉１０の内部側から着脱可能に填め込まれる。そして、その先端側が扉１０上面から上方に突出する。前記前面板４の上部には、この丁番軸６２を受ける挿入穴６４が形成されている。前記扉１０の上側は、前記丁番軸６２を前記挿入穴６４に挿入することにより、回転可能に支持されている。
【００３７】
こうして、扉１０を前面板４に取り付けるには、まず、扉１０上側の丁番軸６２を外した状態で、扉１０下側の支軸４６をコントロールパネル１１上面１１ａの軸穴５０に挿入する。そして、扉１０上側の取付穴６３と前面板４の挿入穴６４との位置を合わせ、丁番軸６２を取付穴６３に差し込んで、その先端側を挿入穴６４に挿入する。
【００３８】
以上の構成において、乾燥運転時、ドラム７内では衣類同士がこすれることにより、静電気が発生する。また、扉１０の裏面側には、樹脂製の保護カバー４５が取り付けられているので、この保護カバー４５と衣類のこすれによっても静電気が発生する。こうした静電気は、衣類や保護カバー４５には勿論のこと、扉１０の裏蓋３８にも帯電する。
【００３９】
しかし、裏蓋３８に帯電した静電気は、支軸４６から板バネ５１、そして、ダクトカバー１８及び支持板１４を介して機枠３へと伝わる。そして、前記機枠に取り付けられると共に、接地された専用アース線（図示せず）を伝って地面へ逃げる。また、衣類乾燥機本体１が金属製の置台に置かれているような場合は、機枠３から置台を伝って地面へ逃げる。
【００４０】
よって、裏蓋３８に静電気が溜まるようなことがなく、使用者が衣類を取り出すために扉を開け、この時に裏蓋３８に触れても、使用者の身体に放電されるようなことがなく、使用者が電気ショックをうける虞がない。また、扉１０の近く、即ち扉１０下方のコントロールパネル１１の裏側に配置された制御基板１３へノイズを与えるようなこともない。
【００４１】
ここでは特に、扉１０の回転軸である支軸４６を通して静電気を逃がすようにしており、乾燥運転時に、衣類が扉１０にぶつかるなどして、扉１０が支軸４６を支点として少々開閉方向に動いても、支軸４６と板バネ５１との接点は動かないので、支軸４６の板バネ５１への接触を常に維持できる。
【００４２】
更に、乾燥運転時の衣類乾燥機本体１の振動により、扉１０が上下方向（軸方向）に振動し、支軸４６が上下に動いても、板バネ５１が支軸４６の動きに追従する。よって、支軸４６の板バネ５１への接触を常に維持できる。
【００４３】
更に、支軸４６と板バネ５１は、支軸４６の先端と板バネ５１の下板５３との間だけでなく、軸ピン４８の側面（支軸側面）と板バネ５１の挿通穴５４の縁部との間でも接触させ、支軸４６と板バネ５１とを２点接触させるようにしているので、支軸４６から板バネ５１へより多くの静電気を通すことができる。
【００４４】
従って、支軸４６と板バネ５１（当接部材）との間でスムーズに静電気を流すことができ、これにより、裏蓋３８から素早く静電気を逃がすことができる。
【００４５】
なお、図８は扉の上側の支持部分の他の実施例を示す。６５は前面板４に取り付けられた軸金具であり、軸６６が上方に向かって設けられている。６７は扉１０に取り付けられ、前記軸金具６５の軸６６を下方から通す軸受金具である。扉１０の装着時、前記軸金具６５は、扉１０の全体の重みを支えることになり、このようにすることによって、扉１０の下側の支軸４６に余分な力をかけないようにして、支軸４６が容易に破損してしまわないようにし、支軸４６と板バネ５１との接触が断たれることがないようにしている。
【００４６】
【発明の効果】
本発明の衣類乾燥機の構成によれば、扉の金属部分に帯電した静電気を、扉の回転軸である支軸を介して機枠へ逃がすようにしているので、扉に静電気が溜まるようなことがなく、使用者が衣類を取り出すために扉を開け、この時に扉の金属部分に触れても、使用者の身体に放電されるようなことがなく、使用者が電気ショックを受ける虞がない。
【００４７】
特に、扉の回転軸である支軸を通して静電気を逃がすようにしており、乾燥運転時に、衣類が扉にぶつかるなどして、扉が支軸を支点として少々開閉方向に動いても、支軸と当接部材との接点は動かないので、支軸の当接部材への接触を常に維持できる。
【００４８】
更に、前記当接部材を、支軸の軸受部への装着方向と反対方向に支軸を付勢する弾性部材としており、乾燥運転時の衣類乾燥機本体の振動により、扉が軸方向に振動しても、当接部材が支軸の動きに追従するようにしているので、支軸の当接部材への接触を常に維持できる。
【００４９】
更に、前記当接部材を、隙間を有して２つの板が対面するＵ字型の板バネとし、この板バネの一方の板には、支軸を挿通する挿通穴を設け、支軸の他端がこの穴を通って他方の板に当接して板バネが変形したときに、穴の縁部が支軸側面に当接するようにして、支軸と当接部材とを２点接触させるようにしているので、支軸から当接部材へより多くの静電気を通すことができる。
【００５０】
従って、支軸と当接部材との間でスムーズに静電気を流すことができ、これにより、扉から素早く静電気を逃がすことができる。
【図面の簡単な説明】
【図１】本発明の一実施例である衣類乾燥機の概要を示す側面縦断面図である。
【図２】同じく衣類乾燥機の正面図である。
【図３】同じく前面板を外した衣類乾燥機の正面図である。
【図４】同じく扉の背面図である。
【図５】同じく扉の下側の支持部分の構造を示す図２のＡ−Ａ断面図である。
【図６】同じく扉の上側の支持部分の構造を示す図２のＢ−Ｂ断面図である。
【図７】同じく板バネの構成を示す斜視図である。
【図８】同じく扉の上側の支持部分の他の実施例を示す図２のＢ−Ｂ断面図である。
【符号の説明】
３  機枠
４  前面板
６  投入口
７  ドラム
１０  扉
１１  コントロールパネル（軸受部）
４６  支軸
５１  板バネ（当接部材、弾性部材）
５４  挿通穴
【図１】
0003670680.tif 000002
【図２】
0003670680.tif 000003
【図３】
0003670680.tif 000004
【図４】
0003670680.tif 000005
【図５】
0003670680.tif 000006
【図６】
0003670680.tif 000007
【図７】
0003670680.tif 000008
【図８】
0003670680.tif 000009